(57)【要約】【課題】液化天然ガスから発生したボイルオフガスを効率的に燃焼処理可能なボイルオフガスの燃焼処理システム及び燃焼処理方法を提供する。【解決手段】液化天然ガスから発生したボイルオフガスの燃焼処理システムは、ボイルオフガスを燃焼させる加圧型燃焼器と、加圧型燃焼器に空気を供給するための空気供給路に設けられ、加圧型燃焼器の排気を利用して空気を圧縮する過給機と、加圧型燃焼器と過給機との間を延びる空気供給路の部分に設けられ、液化天然ガス又はボイルオフガスの冷熱を利用して空気を冷却する第１熱交換器とを備える。【選択図】図１
2014105759.tif 000002
【特許請求の範囲】
【請求項１】
液化天然ガスから発生したボイルオフガスの燃焼処理システムにおいて、
前記ボイルオフガスを燃焼させる加圧型燃焼器と、
前記加圧型燃焼器に空気を供給するための空気供給路に設けられ、前記加圧型燃焼器の排気を利用して前記空気を圧縮する過給機と、
前記加圧型燃焼器と前記過給機との間を延びる前記空気供給路の部分に設けられ、前記液化天然ガス又は前記ボイルオフガスの冷熱を利用して前記空気を冷却する第１熱交換器と
を備えることを特徴とするボイルオフガスの燃焼処理システム。
【請求項２】
前記加圧型燃焼器に前記ボイルオフガスを供給するためのボイルオフガス供給路に設けられ、前記第１熱交換器において前記空気の冷却に用いられる冷媒を冷却する第２熱交換器を備えることを特徴とする請求項１に記載のボイルオフガスの燃焼処理システム。
【請求項３】
前記液化天然ガスをガスエンジンに供給するための天然ガス供給路に設けられ、前記第１熱交換器において前記空気の冷却に用いられる冷媒を冷却する第３熱交換器を備えることを特徴とする請求項１に記載のボイルオフガスの燃焼処理システム。
【請求項４】
前記液化天然ガスを貯蔵するためのタンクに付設された自己加圧用の蒸発路に設けられ、前記第１熱交換器において前記空気の冷却に用いられる冷媒を冷却する第４熱交換器を備えることを特徴とする請求項１乃至３の何れか一項に記載のボイルオフガスの燃焼処理システム。
【請求項５】
前記過給機よりも上流の前記空気供給路の部分に設けられ、前記液化天然ガス又は前記ボイルオフガスの冷熱を利用して前記空気を冷却する圧縮前空気冷却用熱交換器を備えることを特徴とする請求項１乃至４の何れか一項に記載のボイルオフガスの燃焼処理システム。
【請求項６】
前記圧縮前空気冷却用熱交換器は、前記液化天然ガスを貯蔵するためのタンクに付設された自己加圧用の蒸発路と前記空気供給路に跨がって設けられ、前記液化天然ガスの冷熱を利用して、前記空気を冷却することを特徴とする請求項５に記載のボイルオフガス燃焼処理システム。
【請求項７】
前記第３熱交換器が前記圧縮前空気冷却用熱交換器を兼ね、前記第３熱交換器は、前記冷媒として前記空気を冷却し、
前記第３熱交換器で冷却された空気は、前記第１熱交換器において前記過給機によって圧縮された空気を冷却してから、前記過給機で圧縮される
ことを特徴とする請求項５に記載のボイルオフガス燃焼処理システム。
【請求項８】
液化天然ガスから発生したボイルオフガスの燃焼処理方法において、
加圧型燃焼器を用いて前記ボイルオフガスを燃焼させる加圧燃焼工程と、
前記加圧燃焼工程で用いられる空気を、前記加圧燃焼器の排気を利用して過給機によって圧縮する圧縮工程と、
前記液化天然ガス又は前記ボイルオフガスの冷熱を利用して、前記圧縮工程で圧縮された空気を冷却する熱交換工程と
を備えることを特徴とするボイルオフガスの燃焼処理方法。
【発明の詳細な説明】
【技術分野】
【０００１】
本発明は、液化天然ガスから発生したボイルオフガスの燃焼処理システム及び燃焼処理方法に関する。
【背景技術】
【０００２】
液化天然ガスのタンク等では、液化天然ガスが蒸発してボイルオフガスが発生する。タンク内の圧力調整等のため、ボイルオフガスは、タンクから放出され、フレアスタックや常圧型燃焼器にて燃焼処理される（例えば特許文献１参照）。
【先行技術文献】
【特許文献】
【０００３】
【特許文献１】特開平１０−３１８４９８号公報
【発明の概要】
【発明が解決しようとする課題】
【０００４】
常圧型燃焼器を用いてボイルオフガスを常圧下で燃焼処理する場合、処理能力が低い。このため、十分な処理能力を確保するには、大型の常圧型燃焼器が必要になってしまう。また、常圧型燃焼器に空気を供給するために、ブロワが必要であるが、ブロワについても、大型のブロワが必要になる。
そこで、過給機を用いて空気を加圧し、ボイルオフガスを加圧型燃焼器にて燃焼処理することが考えられる。
【０００５】
しかしながら、過給機を用いて加圧型燃焼器に供給する空気を加圧した場合、供給する空気の温度が高くなり、燃焼温度が高くなってしまう。このため、燃焼温度が加圧型燃焼器の耐熱温度を超えないよう制御する必要がある。また、供給する空気の温度が高くなると、加圧型燃焼器へのボイルオフガスの供給量が減少してしまう。このため、過給機と加圧型燃焼器を単に組み合わせて用いる場合、ボイルオフガスの処理能力の向上には限界がある。
【０００６】
そこで本発明は、液化天然ガスから発生したボイルオフガスを効率的に燃焼処理可能なボイルオフガスの燃焼処理システム及び燃焼処理方法を提供することを目的とする。
【課題を解決するための手段】
【０００７】
本発明によれば、液化天然ガスから発生したボイルオフガスの燃焼処理システムにおいて、前記ボイルオフガスを燃焼させる加圧型燃焼器と、前記加圧型燃焼器に空気を供給するための空気供給路に設けられ、前記加圧型燃焼器の排気を利用して前記空気を圧縮する過給機と、前記加圧型燃焼器と前記過給機との間を延びる前記空気供給路の部分に設けられ、前記液化天然ガス又は前記ボイルオフガスの冷熱を利用して前記空気を冷却する第１熱交換器とを備えることを特徴とするボイルオフガスの燃焼処理システムが提供される。
【０００８】
この構成では、過給機で圧縮された空気（圧縮空気）が、液化天然ガス又はボイルオフガスの冷熱を用いて冷却され、そして、冷却された圧縮空気が、加圧型燃焼器に供給される。このため、加圧型燃焼器での燃焼温度の上昇が抑制され、また、加圧型燃焼器へのボイルオフガスの供給量の低下も抑制される。この結果として、このボイルオフガスの燃焼処理システムによれば、ボイルオフガスの燃焼処理が効率的に行われる。
【０００９】
一実施形態では、ボイルオフガスの燃焼処理システムは、前記加圧型燃焼器に前記ボイルオフガスを供給するためのボイルオフガス供給路に設けられ、前記第１熱交換器において前記空気の冷却に用いられる冷媒を冷却する第２熱交換器を備える。
この構成では、第２熱交換器において、ボイルオフガスによって冷媒が冷却され、第１熱交換器において、冷媒によって空気が冷却される。かかる構成によれば、簡単な構成にて、加圧型燃焼器へ供給される空気が冷却される。また、この構成では、第２熱交換器において、冷媒によってボイルオフガスが加熱されるので、ボイルオフガスを加熱するための他の加熱装置を省略可能である。
【００１０】
一実施形態では、ボイルオフガスの燃焼処理システムは、前記液化天然ガスをガスエンジンに供給するための天然ガス供給路に設けられ、前記第１熱交換器において前記空気の冷却に用いられる冷媒を冷却する第３熱交換器を備える。
この構成では、第３熱交換器において、液化天然ガスによって冷媒が冷却され、第１熱交換器において、冷媒によって空気が冷却される。かかる構成によれば、簡単な構成にて、加圧型燃焼器へ供給される空気が冷却される。また、この構成では、第３熱交換器において、冷媒によって、ガスエンジンの燃料用の液化天然ガスが加熱されるので、ガスエンジンの燃料用の液化天然ガスを加熱するための他の加熱装置を省略可能である。
【００１１】
一実施形態では、ボイルオフガスの燃焼処理システムは、前記液化天然ガスを貯蔵するためのタンクに付設された自己加圧用の蒸発路に設けられ、前記第１熱交換器において前記空気の冷却に用いられる冷媒を冷却する第４熱交換器を備える。
この構成では、第４熱交換器において、液化天然ガスによって冷媒が冷却され、第１熱交換器において、冷媒によって空気が冷却される。かかる構成によれば、簡単な構成にて、加圧型燃焼器へ供給される空気が冷却される。また、この構成では、第４熱交換器において、冷媒によって、タンクの自己加圧用の液化天然ガスが加熱されるので、タンクの自己加圧用の液化天然ガスを加熱するための他の加熱装置を省略可能である。
【００１２】
一実施形態では、ボイルオフガスの燃焼処理システムは、前記過給機よりも上流の前記空気供給路の部分に設けられ、前記液化天然ガス又は前記ボイルオフガスの冷熱を利用して前記空気を冷却する圧縮前空気冷却用熱交換器を備える。
この構成では、圧縮前空気冷却用熱交換器にて、過給機で圧縮される前の空気を冷却することにより、加圧型燃焼器へ供給される空気の温度が更に低くなる。このため、加圧型燃焼器での燃焼温度の上昇が更に抑制され、また、加圧型燃焼器へのボイルオフガスの供給量の低下も更に抑制される。この結果として、このボイルオフガスの燃焼処理システムによれば、ボイルオフガスの燃焼処理が更に効率的に行われる。
【００１３】
一実施形態では、前記圧縮前空気冷却用熱交換器は、前記液化天然ガスを貯蔵するためのタンクに付設された自己加圧用の蒸発路と前記空気供給路に跨がって設けられ、前記液化天然ガスの冷熱を利用して、前記空気を冷却する。
この構成では、圧縮前空気冷却用熱交換器において、自己加圧用の液化天然ガスによって圧縮前の空気を冷却することにより、簡単な構成にて、圧縮前の空気を冷却することができる。
【００１４】
一実施形態では、前記第３熱交換器が前記圧縮前空気冷却用熱交換器を兼ね、前記第３熱交換器は、前記冷媒として前記空気を冷却し、前記第３熱交換器で冷却された空気は、前記第１熱交換器において前記過給機によって圧縮された空気を冷却してから、前記過給機で圧縮される。
この構成では、第３熱交換器が、冷媒として、過給機に供給される空気を冷却するので、冷媒を循環させるためのポンプを省略可能であり、より簡単な構成で、加圧型燃焼器へ供給される空気の温度を低くすることができる。
【００１５】
また、本発明によれば、液化天然ガスから発生したボイルオフガスの燃焼処理方法において、加圧型燃焼器を用いて前記ボイルオフガスを燃焼させる加圧燃焼工程と、前記加圧燃焼工程で用いられる空気を、前記加圧燃焼器の排気を利用して過給機によって圧縮する圧縮工程と、前記液化天然ガス又は前記ボイルオフガスの冷熱を利用して、前記圧縮工程で圧縮された空気を冷却する熱交換工程とを備えることを特徴とするボイルオフガスの燃焼処理方法が提供される。
【００１６】
この構成では、過給機で圧縮された空気（圧縮空気）が、液化天然ガス又はボイルオフガスの冷熱を用いて冷却され、そして、冷却された圧縮空気が、加圧型燃焼器に供給される。このため、加圧型燃焼器での燃焼温度の上昇が抑制され、また、加圧型燃焼器へのボイルオフガスの供給量の低下も抑制される。この結果として、このボイルオフガスの燃焼処理方法によれば、ボイルオフガスの燃焼処理が効率的に行われる。
【発明の効果】
【００１７】
本発明によれば、液化天然ガスから発生したボイルオフガスを効率的に燃焼処理可能なボイルオフガスの燃焼処理システム及び燃焼処理方法が提供される。
【図面の簡単な説明】
【００１８】
【図１】本発明の一実施形態のボイルオフガスの燃焼処理システムの概略的な構成を示す図である。
【図２】本発明の一実施形態のボイルオフガスの燃焼処理システムの概略的な構成を示す図である。
【図３】本発明の一実施形態のボイルオフガスの燃焼処理システムの概略的な構成を示す図である。
【図４】本発明の一実施形態のボイルオフガスの燃焼処理システムの概略的な構成を示す図である。
【図５】本発明の一実施形態のボイルオフガスの燃焼処理システムの概略的な構成を示す図である。
【図６】本発明の一実施形態のボイルオフガスの燃焼処理システムの概略的な構成を示す図である。
【図７】参考例のボイルオフガスの燃焼処理システムの概略的な構成を示す図である。
【図８】参考例のボイルオフガスの燃焼処理システムの概略的な構成を示す図である。
【発明を実施するための形態】
【００１９】
以下、添付図面を参照して、本発明の実施形態及び参考例について説明する。ただし、実施形態及び参考例に記載されている又は図面に示されている構成部品の寸法、材質、形状及びその相対的配置等は、本発明の範囲をこれに限定する趣旨ではなく、単なる説明例にすぎない。
【００２０】
図１は、本発明の一実施形態のボイルオフガスの燃焼処理システムの概略的な構成を示している。ボイルオフガスの燃焼処理システムは、液化天然ガスが蒸発して発生したボイルオフガス（ＢＯＧ）を燃焼させて処理する。
【００２１】
具体的には、ボイルオフガスの燃焼処理システムは、ボイルオフガスを燃焼させる加圧型燃焼器（以下、単に燃焼器ともいう）１０と、燃焼器１０へボイルオフガスを供給するためのガス供給系統１２と、燃焼器１０からの排気を排出するための排気系統１４と、燃焼器１０に圧縮空気を供給する空気供給系統１６と、空気供給系統１６が燃焼器１０に供給する圧縮空気を冷却するための圧縮空気冷却系統１８とを有する。
【００２２】
ガス供給系統１２は、ボイルオフガスの供給源として、例えば液化燃料ガス（ＬＮＧ）のタンク（ＬＮＧタンク）２０と、ボイルオフガスの供給路として、ＬＮＧタンク２０と燃焼器１０とを連通するガス管２２とを有する。
なお、ボイルオフガスの供給源は、中継タンク、配管の途中等に設けられるボイルオフガスバッファ、或いは、再液化装置等の深冷機器であってもよい。
【００２３】
排気系統１４は、排気を放出するための煙突２４と、排気路として、燃焼器１０と煙突２４とを連通する排気管２６とを有する。
【００２４】
空気供給系統１６は、燃焼器１０の排気を利用して空気を圧縮する過給機２８を有する。過給機２８は、排気管２６の途中に設けられるタービン２８ａと、タービン２８ａの出力軸に機械的に連結された入力軸を有する圧縮機２８ｂとからなる。圧縮機２８ｂと燃焼器１０とは、空気供給路を構成する吸気管３０を介して相互に連通している。圧縮機２８ｂは、例えば、常圧の空気を吸入して、約３ＭＰａの圧縮空気を吐出する。
なお、空気供給系統１６は、燃焼器１０の起動時に燃焼器１０に空気を供給するために、補助的にブロワ３２を有する。ブロワ３２は、タービン２８ａの回転数が所定値に到達するまで燃焼器１０に空気を供給し、タービン２８ａの回転数が所定値に到達した後、停止させられる。
【００２５】
圧縮空気冷却系統１８は、圧縮空気と冷媒との間で熱交換を行い、圧縮空気を冷却する第１熱交換器３４と、ボイルオフガスと冷媒との間で熱交換を行い、冷媒を冷却してボイルオフガスを加熱する第２熱交換器３６と、循環ポンプ３８とを有する。
冷媒としては、例えば、水や、エチレングリコール等の不凍液を用いることができる。
【００２６】
より詳しくは、第１熱交換器３４及び第２熱交換器３６は、それぞれ、高温部３４ａ，３６ａ及び低温部３４ｂ，３６ｂを有する。
第１熱交換器３４の高温部３４ａは吸気管３０に介装され、第１熱交換器３４の低温部３４ａは、冷媒の循環路を構成する冷媒管４０に介装され、高温部３４ａと低温部３４ｂは相互に熱交換可能である。
【００２７】
第２熱交換器３６の高温部３６ａは冷媒管４０に介装され、第２熱交換器３６の低温部３６ｂはガス管２２に介装され、高温部３６ａと低温部３６ｂは相互に熱交換可能である。
循環ポンプ３８は、冷媒管４０に介装され、循環路における冷媒の流れを生成可能である。
【００２８】
以下、上述したボイルオフガスの燃焼処理システムの動作について説明する。
燃焼処理システムでは、起動時に、燃焼器１０に対し、ブロワ３２から空気が供給されるとともに、ＬＮＧタンク２０からボイルオフガスが供給される。燃焼器１０は、空気を利用してボイルオフガスを燃焼させる（加圧燃焼工程）。そして、燃焼によって生じた排気は、排気管２６通じて、煙突から放出される。この際、排気管２６を流れる排気のエネルギーによって、過給機２８のタービン２８ａが回転させられ、これにより圧縮機２８ｂが駆動され、空気を圧縮する（圧縮工程）。
【００２９】
タービン２８ａの回転数が所定値に到達すると、圧縮機２８ｂで圧縮された空気が吸気管３０を通じて燃焼器１０に供給され、ブロワ３２は停止される。
圧縮空気冷却系統１８は、圧縮機２８ｂによって圧縮された空気を冷却する。そのために、循環ポンプ３８は、例えばブロワ３２の起動と同時に起動させられ、冷媒の循環を開始させる。
冷媒は、循環路の循環中に、第２熱交換器３６において、ボイルオフガスによって冷却され、そして、第１熱交換器３４において、圧縮空気を冷却する（熱交換工程）。従って、燃焼器１０には、冷却された圧縮空気が供給される。
【００３０】
上述した一実施形態では、過給機２８で圧縮された空気が、ボイルオフガスの冷熱を用いて冷却され、そして、冷却された圧縮空気が、加圧型燃焼器１０に供給される。このため、加圧型燃焼器１０での燃焼温度の上昇が抑制され、また、加圧型燃焼器１０へのボイルオフガスの供給量の低下も抑制される。この結果として、このボイルオフガスの燃焼処理システムによれば、ボイルオフガスの燃焼処理が効率的に行われる。
【００３１】
また、上述した一実施形態では、簡単な構成にて、加圧型燃焼器１０へ供給される空気が冷却される。また、この構成では、第２熱交換器３６において、冷媒によってボイルオフガスが加熱されるので、ボイルオフガスを加熱するための他の加熱装置を省略可能である。
【００３２】
次に、本発明の他の一実施形態について説明する。なお、以下の実施形態及び参考例の説明では、先行する実施形態と同一又は類似の構成については、同一の名称又は符号を付して説明を簡略化又は省略する。
図２は、他の一実施形態の燃焼処理スシステムの概略的な構成を示している。本実施形態では、ＬＮＧタンク２０に貯留されているＬＮＧは、ガスエンジン４２の燃料として使用される。ガスエンジン４２とＬＮＧタンク２０は、燃料としての天然ガスの供給路を構成する燃料管４４によって相互に連通している。そして、燃料管４４には、ＬＮＧタンク２０からガスエンジン４２にＬＮＧを供給するための供給ポンプ４６が介装されている。供給ポンプ４６は昇圧ポンプである。
【００３３】
そして本実施形態では、第２熱交換器３６に代えて、第３熱交換器４８が設けられている。第３熱交換器４８は、冷媒管４０に介装される高温部４８ａと、燃料管４４に介装される低温部４８ｂとを有する。高温部４８ａと低温部４８ｂは相互に熱交換可能であり、第３熱交換器４８は、ＬＮＧの冷熱を利用して冷媒を冷却する。
【００３４】
上述した一実施形態の燃焼処理システムでは、第３熱交換器４８において、液化天然ガスによって冷媒が冷却され、第１熱交換器３４において、冷媒によって空気が冷却される。この構成では、簡単な構成にて、加圧型燃焼器１０へ供給される空気が冷却される。また、この構成では、第３熱交換器４８において、冷媒によって、ガスエンジン４２の燃料用の液化天然ガスが加熱されるので、燃料用の液化天然ガスを加熱するための他の加熱装置を省略可能である。
【００３５】
なお、図２の実施形態に、図１の実施形態の第２熱交換器３６を追加し、循環ポンプ３８に対して第２熱交換器３６と第３熱交換器４８を並列に接続してもよい。この場合、ボイルオフガス及び燃料用のＬＮＧによって冷媒を冷却することができる。
【００３６】
以下、他の一実施形態の燃焼処理システムについて説明する。
図３は、他の一実施形態の燃焼処理システムの概略的な構成を示している。本実施形態は、ＬＮＧタンク２０の自己加圧手段と、第４熱交換器５０を更に有する点において、図２の燃焼処理システムと異なっている。
【００３７】
自己加圧手段は、ＬＮＧタンク２０に蓄えられたＬＮＧの一部を外部に流出させて蒸発させ、蒸発により得られた天然ガスをＬＮＧタンク２０内に戻す。具体的には、自己加圧手段は、蒸発路を構成する蒸発管５２を有する。
【００３８】
第４熱交換器５０は、高温部５０ａ及び低温部５０ｂを有し、高温部５０ａと低温部５０ｂは相互に熱交換可能である。第４熱交換器５０の低温部５０ｂは、蒸発管５２に介装されている。
【００３９】
一方、冷媒管４０は、例えば２つのＴ字継手５４，５６を用いて分岐され、一部が並列に構成されている。第４熱交換器５０の高温部５０ａは、冷媒管４０の並列な部分に介装されており、第４熱交換器５０の高温部５０ａ及び第３熱交換器４８の高温部４８ａが、循環ポンプ３８に対して互いに並列に接続されている。
【００４０】
従って、本実施形態では、冷媒が、Ｔ字継手５４によって適当な流量比で分配され、第３熱交換器４８及び第４熱交換器５０を並列に流れ、燃料用のＬＮＧ及び自己加圧用のＬＮＧによって冷却される。この構成では、簡単な構成にて、加圧型燃焼器１０へ供給される空気が冷却される。また、この構成では、第４熱交換器５０において、冷媒によって、ＬＮＧタンク２０の自己加圧用の液化天然ガスが加熱されるので、タンクの自己加圧用の液化天然ガスを加熱するための他の加熱装置を省略可能である。
【００４１】
なお、図３の実施形態において、第３熱交換器４８を省略し、第４熱交換器５０のみによって、冷媒を冷却するようにしてもよい。あるいは、第３熱交換器４８に代えて図１の第２熱交換器３６を、第４熱交換器５０と並列にて循環ポンプ３８に対して接続し、ボイルオフガスとＬＮＧによって冷媒を冷却してもよい。更に、第２熱交換器３６、第３熱交換器４８、及び、第４熱交換器５０を循環ポンプ３８に対して並列に接続し、ボイルオフガスとＬＮＧによって冷媒を冷却してもよい。
【００４２】
以下、他の一実施形態の燃焼処理システムについて説明する。
図４は、他の一実施形態の燃焼処理システムの概略的な構成を示している。本実施形態は、第４熱交換器５０に代えて、第５熱交換器（圧縮前空気冷却用熱交換器）５８を有する点において、図３の燃焼処理システムと異なっている。
【００４３】
第５熱交換器５８は、高温部５８ａ及び低温部５８ｂを有し、高温部５８ａと低温部５８ｂは相互に熱交換可能である。第５熱交換器５８の高温部５８ａは、空気供給路を構成する吸気管３０における、空気の流動方向にて過給機２８よりも上流の部分に介装されている。
【００４４】
一方、冷媒管４０は、例えば２つのＴ字継手５６，６０によって分岐され、一部が並列に構成されている。第５熱交換器５８の低温部５８ｂは、冷媒管４０の並列な部分に介装されており、第５熱交換器５８は、空気供給路における、空気の流動方向にて過給機２８よりも上流の部分と、冷媒の循環路に跨がって設けられている。そして、第５熱交換器５８の低温部５８ｂａ及び第１熱交換器３４の低温部３４ｂが、循環ポンプ３８或いは第３熱交換器４８の高温部４８ａに対して互いに並列に接続されている。
【００４５】
従って、本実施形態では、冷媒が、第３熱交換器４８において、燃料用のＬＮＧによって冷却される。そして、冷却された冷媒が、Ｔ字継手５６によって適当な流量比で分配されて、第５熱交換器５８及び第１熱交換器３４を並列に流れることによって、過給機２８による圧縮前の空気と圧縮後の空気がそれぞれ冷却される。
【００４６】
この構成では、第５熱交換器５８にて、過給機２８で圧縮される前の空気を冷却することにより、加圧型燃焼器１０へ供給される空気の温度が更に低くなる。このため、加圧型燃焼器１０での燃焼温度の上昇が更に抑制され、また、加圧型燃焼器１０へのボイルオフガスの供給量の低下も更に抑制される。この結果として、このボイルオフガスの燃焼処理システムによれば、ボイルオフガスの燃焼処理が更に効率的に行われる。
【００４７】
以下、他の一実施形態の燃焼処理システムについて説明する。
図５は、他の一実施形態の燃焼処理システムの概略的な構成を示している。本実施形態は、第４熱交換器５０(圧縮前空気冷却用熱交換器)が、蒸発管５２と吸気管３０に跨がって設けられている点において、図４の燃焼処理システムと異なっている。
【００４８】
従って、本実施形態では、圧縮空気が、第１熱交換器３４において、燃料用のＬＮＧの冷熱によって冷却される。一方、圧縮前の空気が、第４熱交換器５０において、自己加圧用のＬＮＧの冷熱によって冷却される。この構成では、第４熱交換器５０において、自己加圧用のＬＮＧによって圧縮前の空気を冷却することにより、簡単な構成にて、圧縮前の空気を冷却することができる。
【００４９】
なお、図５の実施形態において、第２熱交換器３６を、ガス管２２と吸気管３０に跨がって設け、ボイルオフガスの冷熱によって、圧縮前の空気を冷却してもよい。
【００５０】
以下、他の一実施形態の燃焼処理システムについて説明する。
図６は、他の一実施形態の燃焼処理システムの概略的な構成を示している。本実施形態は、第３熱交換器４８の高温部４８ａ、及び、第１熱交換器３４の低温部３４ｂが、吸気管３０に介装され、且つ、循環ポンプ３８が省略されている点において、図２の燃焼処理システムと異なっている。
【００５１】
第１熱交換器３４の低温部３４ｂは、空気の流動方向にて、吸気管３０における過給機２８よりも上流の部分に介装され、第３熱交換器４８の高温部４８ａは、更に上流の部分に介装されている。
【００５２】
従って、本実施形態では、第３熱交換器４８が、燃料用のＬＮＧの冷熱を利用して、冷媒として、圧縮前の空気を冷却しており、第１熱交換器３４において、冷却された圧縮前の空気によって、圧縮空気が冷却される。一方、圧縮前の空気は、第１熱交換器３４において加熱されるが、第１熱交換器３４の低温部３４ｂを通過後の圧縮前の空気の温度は、外気温度よりも低い。このため、外気を圧縮する場合に比べて、圧縮前の空気温度が低くなる。
【００５３】
従って、本実施形態では、過給機２８で圧縮された圧縮空気及び圧縮前の空気が、第１熱交換器３４において、燃料用のＬＮＧの冷熱によって冷却されている。この構成では、第３熱交換器３４が、冷媒として、過給機２８に供給される空気を冷却するので、冷媒を循環させるための循環ポンプ３８を省略可能であり、より簡単な構成で、加圧型燃焼器１０へ供給される空気の温度を低くすることができる。
【００５４】
以下、参考例の燃焼システムについて説明する。
図７は、参考例の燃焼処理システムの概略的な構成を示している。本参考例は、第１熱交換器３４を有さない点において、図６の燃焼処理システムと異なっている。換言すれば、本参考例は、圧縮空気冷却系統１８を有さず、圧縮前空気冷却系統６２のみ有する点において、図６の燃焼システムと異なっている。圧縮前空気冷却系統６２は、第３熱交換器４８によって構成されている。
【００５５】
この参考例では、第３熱交換器３４が、過給機２８に供給される空気を冷却するので、簡単な構成で、加圧型燃焼器へ供給される空気の温度を低くすることができる。
【００５６】
以下、他の参考例の燃焼システムについて説明する。
図８は、他の参考例の燃焼処理システムの概略的な構成を示している。本参考例は、第２熱交換器３６を有さない点において、図１の燃焼処理システムと異なっている。本参考例では、ＬＮＧやボイルオフガスの冷熱を利用せずに、第１熱交換器３４において圧縮空気が冷却される。この場合、循環冷却水や空冷によって、圧縮空気を冷却することができる。
【００５７】
本発明は、上述した実施形態に限定されることはなく、上述した実施形態に変更を加えた形態や、これらの実施形態を適宜組み合わせた形態も含む。
【符号の説明】
【００５８】
１０    加圧型燃焼器
１２    ガス供給系統
１４    排気系統
１６    空気供給系統
１８    圧縮空気冷却系統
２０    ＬＮＧタンク
２８    過給機
２８ａ  タービン
２８ｂ  圧縮機
３２    ブロワ
３４    第１熱交換器
３６    第２熱交換器
３８    循環ポンプ
４２    ガスエンジン
４４    燃料管
４６    供給ポンプ
４８    第３熱交換器
【図１】
2014105759.tif 000003
【図２】
2014105759.tif 000004
【図３】
2014105759.tif 000005
【図４】
2014105759.tif 000006
【図５】
2014105759.tif 000007
【図６】
2014105759.tif 000008
【図７】
2014105759.tif 000009
【図８】
2014105759.tif 000010